【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  文書中から固有名称の階層構造情報を抽出する装置であって、
文書を入力する文書入力部、
前記文書入力部から得た文書中から固有名称をその内部構造とともに認識、抽出する固有名称内部構造抽出部、
前記固有名称内部構造抽出部で抽出された固有名称の内部構造から固有名称の階層情報を抽出する固有名称階層情報抽出部、
前記固有名称階層情報抽出部で抽出した固有名称の階層情報を格納する固有名称階層情報格納部、
前記固有名称階層情報格納部に格納された固有名称の階層情報から固有名称の階層構造情報を抽出する固有名称階層構造情報抽出部を有してなることを特徴とする固有名称階層構造情報抽出装置。
【請求項２】  固有名称内部構造抽出部は、
形態素解析のための形態素辞書と形態素解析規則を参照して、前記文書を形態素解析する形態素解析部、
前記形態素解析部で解析された各形態素の情報の並びに対して、固有名称構造化抽出規則を参照して、固有名称を構造化抽出する固有名称構造化抽出部
からなる請求項１記載の固有名称階層構造情報抽出装置。
【請求項３】  固有名称階層構造情報抽出部は、
固有名称の階層情報の上位の階層の名称をキーにして固有名称の階層構造情報を抽出する請求項１記載または２記載の固有名称階層構造情報抽出装置。
【請求項４】  固有名称階層情報抽出部は、
固有名称の階層情報の階層の名称について、略称等の同義の名称を同一視する請求項３記載の固有名称階層構造情報抽出装置。
【請求項５】  抽出する固有名称の階層構造情報が、組織名称に関する階層構造情報である請求項１乃至４のいずれかに記載の固有名称階層構造情報抽出装置。
【請求項６】  抽出する固有名称の階層構造情報が、地名に関する階層構造情報である請求項１乃至４のいずれかに記載の固有名称階層構造情報抽出装置。
【請求項７】  文書中から固有名称の階層構造情報を抽出する方法であって、
文書がコンピュータに入力されるステップと、
前記コンピュータが、前記入力された文書中から固有名称をその内部構造とともに認識し抽出するステップと、
前記コンピュータが、前記抽出した固有名称の内部構造から固有名称の階層情報を抽出するステップと、
前記コンピュータが、前記抽出した固有名称の階層情報から固有名称の階層構造情報を抽出するステップと、を有することを特徴とする固有名称階層構造情報抽出方法。
【請求項８】  固有名称の内部構造の抽出は、
コンピュータが、形態素解析のための形態素辞書と形態素解析規則を参照して、入力された文書を形態素解析し、
前記形態素解析した各形態素の情報の並びに対して、固有名称構造化抽出規則を参照して、前記固有名称を構造化抽出することにより行う請求項７記載の固有名称階層構造情報抽出方法。
【請求項９】  固有名称の階層構造情報の抽出は、
コンピュータが、固有名称の階層情報の上位の階層の名称をキーにして行う請求項７または８記載の固有名称階層構造情報抽出方法。
【請求項１０】  固有名称の階層情報の抽出は、
コンピュータが、固有名称の階層情報の階層の名称について、略称等の同義の名称を同一視することにより行う請求項９記載の固有名称階層構造情報抽出方法。
【請求項１１】  抽出する固有名称の階層構造情報が、組織名称に関する階層構造情報である請求項７乃至１０のいずれかに記載の固有名称階層構造情報抽出方法。
【請求項１２】  抽出する固有名称の階層構造情報が、地名に関する階層構造情報である請求項７乃至１０のいずれかに記載の固有名称階層構造情報抽出方法。
【請求項１３】  文書中から固有名称の階層構造情報を抽出するために、コンピュータを、
文書を入力する手段、
前記入力した文書中から固有名称をその内部構造とともに認識、抽出する手段、
前記抽出した固有名称の内部構造から固有名称の階層情報を抽出する手段、
前記抽出した固有名称の階層情報を格納する手段、
前記格納した固有名称の階層情報から固有名称の階層構造情報を抽出する手段として機能させるための固有名称階層構造情報抽出プログラム。
【請求項１４】  固有名称の内部構造を抽出する手段は、
形態素解析のための形態素辞書と形態素解析規則を参照して、入力した文書を形態素解析し、
前記形態素解析した各形態素の情報の並びに対して、固有名称構造化抽出規則を参照して、前記固有名称を構造化抽出することにより固有名称の内部構造を抽出する請求項１３記載の固有名称階層構造情報抽出プログラム。
【請求項１５】  固有名称の階層構造情報を抽出する手段は、
固有名称の階層情報の上位の階層の名称をキーにして階層構造情報を抽出する請求項１３または１４記載の固有名称階層構造情報抽出プログラム。
【請求項１６】  固有名称の階層情報を抽出する手段は、
固有名称の階層情報の階層の名称について、略称等の同義の名称を同一視することにより固有名称の階層情報を抽出する請求項１５記載の固有名称階層構造情報抽出プログラム。
【請求項１７】  抽出する固有名称の階層構造情報が、組織名称に関する階層構造情報である請求項１３乃至１６のいずれかに記載の固有名称階層構造情報抽出プログラム。
【請求項１８】  抽出する固有名称の階層構造情報が、地名に関する階層構造情報である請求項１３乃至１６のいずれかに記載の固有名称階層構造情報抽出プログラム。
【請求項１９】  プログラムを記録したコンピュータ読取可能な記録媒体であって、
前記プログラムは、請求項１３乃至１８のいずれかに記載の固有名称階層構造情報抽出プログラムであることを特徴とする固有名称階層構造情報抽出プログラムを記録したコンピュータ読取可能な記録媒体。
【手続補正２】
【補正対象書類名】明細書
【補正対象項目名】０００６
【補正方法】変更
【補正の内容】
【０００６】
【課題を解決するための手段】
請求項１記載の発明は、文書中から固有名称の階層構造情報を抽出する装置であって、文書を入力する文書入力部、前記文書入力部から得た文書中から固有名称をその内部構造とともに認識、抽出する固有名称内部構造抽出部、前記固有名称内部構造抽出部で抽出された固有名称の内部構造から固有名称の階層情報を抽出する固有名称階層情報抽出部、前記固有名称階層情報抽出部で抽出した固有名称の階層情報を格納する固有名称階層情報格納部、前記固有名称階層情報格納部に格納された固有名称の階層情報から固有名称の階層構造情報を抽出する固有名称階層構造情報抽出部を有してなることを特徴とする。
【手続補正３】
【補正対象書類名】明細書
【補正対象項目名】０００７
【補正方法】変更
【補正の内容】
【０００７】
請求項２記載の発明は、請求項１記載の発明において、固有名称内部構造抽出部は、形態素解析のための形態素辞書と形態素解析規則を参照して、前記文書を形態素解析する形態素解析部、前記形態素解析部で解析された各形態素の情報の並びに対して、固有名称構造化抽出規則を参照して、固有名称を構造化抽出する固有名称構造化抽出部からなることを特徴とする。
【手続補正４】
【補正対象書類名】明細書
【補正対象項目名】０００８
【補正方法】変更
【補正の内容】
【０００８】
請求項３記載の発明は、請求項１または２記載の発明において、固有名称階層構造情報抽出部は、固有名称の階層情報の上位の階層の名称をキーにして固有名称の階層構造情報を抽出することを特徴とする。
【手続補正５】
【補正対象書類名】明細書
【補正対象項目名】０００９
【補正方法】変更
【補正の内容】
【０００９】
請求項４記載の発明は、請求項３記載の発明において、固有名称階層情報抽出部は、固有名称の階層情報の階層の名称について、略称等の同義の名称を同一視することを特徴とする。
【手続補正６】
【補正対象書類名】明細書
【補正対象項目名】００１０
【補正方法】変更
【補正の内容】
【００１０】
請求項５記載の発明は、請求項１乃至４のいずれかに記載の発明において、抽出する固有名称の階層構造情報が、組織名称に関する階層構造情報であることを特徴とする。
【手続補正７】
【補正対象書類名】明細書
【補正対象項目名】００１１
【補正方法】変更
【補正の内容】
【００１１】
請求項６記載の発明は、請求項１乃至４のいずれかに記載の発明において、抽出する固有名称の階層構造情報が、地名に関する階層構造情報であることを特徴とする。
【手続補正８】
【補正対象書類名】明細書
【補正対象項目名】００１２
【補正方法】変更
【補正の内容】
【００１２】
請求項７記載の発明は、文書中から固有名称の階層構造情報を抽出する方法であって、文書がコンピュータに入力されるステップと、前記コンピュータが、前記入力された文書中から固有名称をその内部構造とともに認識し抽出するステップと、前記コンピュータが、前記抽出した固有名称の内部構造から固有名称の階層情報を抽出するステップと、前記コンピュータが、前記抽出した固有名称の階層情報から固有名称の階層構造情報を抽出するステップと、を有することを特徴とする。
【手続補正９】
【補正対象書類名】明細書
【補正対象項目名】００１３
【補正方法】変更
【補正の内容】
【００１３】
請求項８記載の発明は、請求項７記載の発明において、固有名称の内部構造の抽出は、コンピュータが、形態素解析のための形態素辞書と形態素解析規則を参照して、入力された文書を形態素解析し、前記形態素解析した各形態素の情報の並びに対して、固有名称構造化抽出規則を参照して、前記固有名称を構造化抽出することにより行うことを特徴とする。
【手続補正１０】
【補正対象書類名】明細書
【補正対象項目名】００１４
【補正方法】変更
【補正の内容】
【００１４】
請求項９記載の発明は、請求項７または8記載の発明において、固有名称の階層構造情報の抽出は、コンピュータが、固有名称の階層情報の上位の階層の名称をキーにして行うことを特徴とする。
【手続補正１１】
【補正対象書類名】明細書
【補正対象項目名】００１５
【補正方法】変更
【補正の内容】
【００１５】
請求項１０記載の発明は、請求項９記載の発明において、固有名称の階層情報の抽出は、コンピュータが、固有名称の階層情報の階層の名称について、略称等の同義の名称を同一視することにより行うことを特徴とする。
【手続補正１２】
【補正対象書類名】明細書
【補正対象項目名】００１６
【補正方法】変更
【補正の内容】
【００１６】
請求項１１記載の発明は、請求項７乃至１０のいずれかに記載の発明において、抽出する固有名称の階層構造情報が、組織名称に関する階層構造情報であることを特徴とする。
【手続補正１３】
【補正対象書類名】明細書
【補正対象項目名】００１７
【補正方法】変更
【補正の内容】
【００１７】
請求項１２記載の発明は、請求項７乃至１０のいずれかに記載の発明において、抽出する固有名称の階層構造情報が、地名に関する階層構造情報であることを特徴とする。
【手続補正１４】
【補正対象書類名】明細書
【補正対象項目名】００１８
【補正方法】変更
【補正の内容】
【００１８】
請求項１３記載の発明は、ことを特徴とする。請求項１３記載の発明は、文書中から固有名称の階層構造情報を抽出するためにコンピュータを、文書を入力する手段、前記入力した文書中から固有名称をその内部構造とともに認識、抽出する手段、前記抽出した固有名称の内部構造から固有名称の階層情報を抽出する手段、前記抽出した固有名称の階層情報を格納する手段、前記格納した固有名称の階層情報から固有名称の階層構造情報を抽出する手段として機能させることを特徴とする。
【手続補正１５】
【補正対象書類名】明細書
【補正対象項目名】００１９
【補正方法】変更
【補正の内容】
【００１９】
請求項１４記載の発明は、請求項１３記載の発明において、固有名称の内部構造を抽出する手段は、形態素解析のための形態素辞書と形態素解析規則を参照して、入力した文書を形態素解析し、前記形態素解析した各形態素の情報の並びに対して、固有名称構造化抽出規則を参照して、前記固有名称を構造化抽出することにより固有名称の内部構造を抽出することを特徴とする。
【手続補正１６】
【補正対象書類名】明細書
【補正対象項目名】００２０
【補正方法】変更
【補正の内容】
【００２０】
請求項１５記載の発明は、請求項１３または１４記載の発明において、固有名称の階層構造情報を抽出する手段は、固有名称の階層情報の上位の階層の名称をキーにして階層構造情報を抽出することを特徴とする。
【手続補正１７】
【補正対象書類名】明細書
【補正対象項目名】００２１
【補正方法】変更
【補正の内容】
【００２１】
請求項１６記載の発明は、請求項１５記載の発明において、固有名称の階層情報を抽出する手段は、固有名称の階層情報の階層の名称について、略称等の同義の名称を同一視することにより固有名称の階層情報を抽出することを特徴とする。
【手続補正１８】
【補正対象書類名】明細書
【補正対象項目名】００２２
【補正方法】変更
【補正の内容】
【００２２】
請求項１７記載の発明は、請求項１３乃至１６のいずれかに記載の発明において、抽出する固有名称の階層構造情報が、組織名称に関する階層構造情報であることを特徴とする。
【手続補正１９】
【補正対象書類名】明細書
【補正対象項目名】００２３
【補正方法】変更
【補正の内容】
【００２３】
請求項１８記載の発明は、請求項１３乃至１６のいずれかに記載の発明において、抽出する固有名称の階層構造情報が、地名に関する階層構造情報であることを特徴とする。
【手続補正２０】
【補正対象書類名】明細書
【補正対象項目名】００２４
【補正方法】変更
【補正の内容】
【００２４】
請求項１９記載の発明は、プログラムを記録したコンピュータ読取可能な記録媒体であって、前記プログラムは、請求項１３乃至１８のいずれかに記載の固有名称階層構造情報抽出プログラムであることを特徴とする。